(57)【特許請求の範囲】
【請求項１】
調理器の上方または周囲に設置され、汚染された空気を吸込む吸込口と、吐出口と、排気送風用の排気装置を内包した送風ケーシングとを連通して通風路を設けたフードと、
前記吸込口下流側に駆動手段により回転する円盤状のフィルターと、
前記フィルターを包囲する洗浄ケーシングと、
前記フィルターに対向する複数の噴射口と、
一端を閉端とした筒状のノズルと、
前記ノズルに給水ポンプにより貯水装置に貯めくみ上げた水を供給する前記貯水装置と前記給水ポンプにそれぞれ給水パイプで接続された給水手段と、
前記洗浄ケーシング内に散乱した汚水の回収手段を有し、
前記フィルター中心側から前記フィルター円周端側方向に向かい前記ノズルを配設するとともに、
前記複数の噴射口の位置が前記ノズルの閉端側に向い順次高くし、
前記貯水装置、前記給水ポンプ、前記ノズルの順に位置が高くなるように配置したレンジフード。
【請求項２】
調理器の上方または周囲に設置され、汚染された空気を吸込む吸込口と、吐出口と、排気送風用の排気装置を内包した送風ケーシングとを連通して通風路を設けたフードと、
前記吸込口下流側に駆動手段により回転する円盤状のフィルターと、
前記フィルターを包囲する洗浄ケーシングと、
前記フィルターに対向する複数の噴射口と、
一端を閉端とした筒状のノズルと、
前記ノズルに給水ポンプにより貯水装置に貯めくみ上げた水を供給する前記貯水装置と前記給水ポンプにそれぞれ給水パイプで接続された給水手段と、
前記洗浄ケーシング内に散乱した汚水の回収手段を有し、
前記フィルター中心側からフィルター円周端側方向に向かい前記ノズルを配設するとともに、
前記フィルターに対向する前記ノズルの噴射口構成面の上部に、前記複数の噴射口の少なくとも一部を開口し、
前記貯水装置、前記給水ポンプ、前記ノズルの順に位置が高くなるように配置したレンジフード。
【請求項３】
ノズルの噴射口構成面に複数の噴射口を前記噴射口構成面の長手方向に沿って２列に配置した請求項１または２に記載のレンジフード。
【請求項４】
ノズルの噴射口構成面の板厚を均一にした請求項１から３に記載のレンジフード。
【請求項５】
ノズルの噴射口構成面の板厚がノズルの閉端側に向って薄くなるようにした請求項１から３に記載のレンジフード。
【発明の詳細な説明】
【技術分野】
【０００１】
本発明は、空気の汚れである微小物を除去するフィルターを備えたレンジフードに関する。
【背景技術】
【０００２】
従来、この種のレンジフードには調理で発生する油煙や埃等を捕集する目的としてフィルターが取り付けられているものが知られている（例えば、特許文献１参照）。
【０００３】
以下、そのレンジフードについて図６を参照しながら説明する。
【０００４】
図６は特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには調理で発生する油煙や埃等を捕集する目的としてフィルターを取り付け、そこのフィルターを洗浄液に浸漬させて洗浄するものもある（例えば、特許文献２参照）。
【０００６】
以下、そのレンジフードについて図７を参照しながら説明する。
【０００７】
図７は特許文献２に開示されている他の従来のレンジフード２００の構成図である。
【０００８】
レンジフード２００は、吸込口２０１とファン２０２との間に設けられるフィルター２０３を備える。フィルター２０３は略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフード１００では、汚れがフィルター１０４に堆積して乾燥すると、遠心力だけでは十分に除去するのが困難である。したがって、しだいにフィルター１０４が目詰まりを起こし、汚れを除去する性能が低下する。
【００１１】
また、このような従来のレンジフード２００では、フィルター２０３の洗浄後に洗浄液２０５内に汚れが浮遊する。浮遊している汚れはフィルター２０３に再付着し、次第にフィルター２０３が汚れて目詰まりを起こし、レンジフード２００の性能が低下する。
【００１２】
そして、これらのフィルターは使用とともに汚れが堆積して吸い込む空気の量が低下し、または油垂れが生じるので、定期的に掃除する必要がある。
【００１３】
そこで本発明は、上記従来の課題を解決するものであり、定期的にフィルターを取り外すことなく、乾燥し固着したフィルターの油や埃などの汚れや、洗浄後の洗浄液に浮遊している汚れを手間なく除去できるレンジフードを提供することを目的としている。
【課題を解決するための手段】
【００１４】
そして、この目的を達成するために、本発明は、調理器の上方または周囲に設置され、汚染された空気を吸込む吸込口と、吐出口と、排気送風用の排気装置を内包した送風ケーシングとを連通して通風路を設けたフードと、前記吸込口下流側に駆動手段により回転する円盤状のフィルターと、前記フィルターを包囲する洗浄ケーシングと、前記フィルターに対向する複数の噴射口を有し、一端を閉端とした筒状のノズルと、前記ノズルに水を供給する給水手段と、前記洗浄ケーシング内に散乱した汚水の回収手段とを有し、前記フィルター中心側からフィルター円周端側方向に向かい前記ノズルを配設するとともに、前記複数の噴射口の位置が前記ノズルの閉端側に向い順次高くなるようにしたもので、これにより所期の目的を達成するものである。
【００１５】
また本発明は、駆動手段により回転する円盤状のフィルターと、前記フィルターを包囲する洗浄ケーシングと、前記フィルターに対向する複数の噴射口を有し、一端を閉端とした筒状のノズルと、前記ノズルに水を供給する給水手段と、前記洗浄ケーシング内に散乱した汚水の回収手段とを有し、前記フィルター中心側からフィルター円周端側方向に向かい前記ノズルを配設するとともに、前記フィルターに対向する前記ノズルの噴射口構成面の上部に、前記複数の噴射口の少なくとも一部を開口したもので、これにより所期の目的を達成するものである。
【発明の効果】
【００１６】
本発明によれば、駆動手段により回転する円盤状のフィルターと、前記フィルターを包囲する洗浄ケーシングと、前記フィルターに対向する複数の噴射口を有し、一端を閉端とした筒状のノズルと、前記ノズルに水を供給する給水手段と、前記洗浄ケーシング内に散乱した汚水の回収手段とを有し、前記複数の噴射口の位置が前記ノズルの閉端側に向い順次高くなる構成にしたことにより、給水手段で水が給水開始される当初に気泡を含んだ気水混合状態で給水されても、気泡に含まれる空気がノズルの閉端側に向い順次高くなっている噴射口から順次放出されて気水が分離され、気泡を含んだ状態で発生する水の噴出ムラによる水滴の飛散や噴出時の異音が解消されるという効果を得ることができ、フィルターに水が噴射されてフィルターに付着した汚れを落とし、その汚水は回収されるので、定期的にフィルターを取り外すことなく、乾燥し固着したフィルターの油や埃などの汚れ、また、洗浄液に浮遊している汚れを手間なく除去できるという効果を有するレンジフードを提供できる。
【００１７】
また、本発明によれば、駆動手段により回転する円盤状のフィルターと、前記フィルターを包囲する洗浄ケーシングと、前記フィルターに対向する複数の噴射口を有し、一端を閉端とした筒状のノズルと、前記ノズルに水を供給する給水手段と、前記洗浄ケーシング内に散乱した汚水の回収手段とを有し、前記フィルター中心側からフィルター円周端側方向に向かい前記ノズルを配設するとともに、前記フィルターに対向する前記ノズルの噴射口構成面の上部に、前記複数の噴射口の少なくとも一部を開口したもので、給水手段で水が給水開始される当初に気泡を含んだ気水混合状態で給水されても、気泡に含まれる空気が噴射口構成面の上部に設けられた噴射口から順次放出されて気水が分離され、気泡を含んだ状態で発生する水の噴出ムラによる水滴の飛散やそのときの異音が解消されるという効果を得ることができ、フィルターに水が噴射されてフィルターに付着した汚れを落とし、その汚水は回収されるので、定期的にフィルターを取り外すことなく、乾燥し固着したフィルターの油や埃などの汚れ、また、洗浄液に浮遊している汚れを手間なく除去できるという効果を有するレンジフードを提供できる。
【図面の簡単な説明】
【００１８】
【図１】本発明の実施の形態１のレンジフードの設置状態を示す側面構成図
【図２】同レンジフードのノズル付近の斜視図
【図３】同レンジフードのノズルの正面図
【図４】同ノズルの斜視図
【図５】（ａ）本発明の実施の形態２のノズルの正面図、（ｂ）同ノズルのＡ−Ａ断面図、（ｃ）同ノズルのＢ−Ｂ断面図
【図６】従来のレンジフードの設置状態を示す構成図
【図７】従来の他のレンジフードの設置状態を示す構成図
【発明を実施するための形態】
【００１９】
以下、本発明の実施の形態について図面を参照しながら説明する。
【００２０】
（実施の形態１）
図１〜図３に示すように、調理器（図示せず）の上方または周囲に、調理にて発生した油煙や周囲に浮遊する埃である微小物を捕集する吸込口１を設けたフード２を設置し、フード２には、天面に屋外と連通したダクト３を介して連通する吐出口４を設け、内部には排気装置５を包括した送風ケーシング６を配設し、この排気装置５を介し吸込口１と吐出口４を結ぶ通風路７を形成している。また、フード２内の吸込口１近傍には平坦な整流板８が設けられ、吸込口１の下流側となる排気装置５の前面に駆動手段９を連結した油や埃を捕集するための円盤状のフィルター１０を設け、フィルター１０外縁にはフィルター１０を覆い被さる筒形状の洗浄ケーシング１１を有し、フィルター１０前面には、複数の噴射口１２をフィルター１０に対向させ、フィルター中心側１３からフィルター円周端側１４に筒状のノズル１５が設けられている。ノズル１５は、貯水装置１６と給水ポンプ１７に給水パイプ１８ａと給水パイプ１８ｂで接続されて給水手段１９を形成し、ノズル１５は固定具２０により洗浄ケーシング１１に固定されている。また、洗浄ケーシング１１の下端部には小孔２１を設け、洗浄ケーシング１１内に散乱した汚水を小孔２１から排水して回収する回収手段２２を設けている。貯水装置１６には、フィルター１０に固着した油や埃などの汚れを剥がしやすくするため、例えば約４０℃のお湯を洗浄前に入れるが、以下では水と記載して説明する。
【００２１】
図４に示すように、ノズル１５は樹脂で成形されたものであり、筒状の閉端２４が閉端であり、閉端２４の反対側は開口部２５とし、開口部２５をキャップ２６で塞ぐことで内部が空洞の筒状部材としている。さらに、ノズル１５には前記給水パイプ１８ｂを接続して連通させる給水パイプ接続部２７と複数の噴射口２９が開口した噴射口構成面２８が形成されている。そして、このノズル１５はこの複数の噴射口２９の位置が閉端２４側に向い２９ａ、２９ｂ、２９ｃ、・・と順次位置が高くなるように、前記固定具２０により前記洗浄ケーシング１１に固定されている。
【００２２】
なお、上記位置が高くなるとは、レンジフードを設置したときの状態で、吸込口１が下、吐出口４が上となる垂直方向の位置関係を示す。
【００２３】
上記構成において、調理時に発生した油や室内の埃などの汚れは、排気装置５を運転することで整流板８の周囲の吸込口１からフード２内に吸い込まれ、通風路７内に設置したフィルター１０にて捕集・蓄積され、その後、排気装置５によって吐出口４よりダクト３を通じ排出される。
【００２４】
その際、フィルター１０に付着した汚れ、特に埃は、フィルター１０の孔に入り込み複雑に絡み合うことで除去が非常に困難になって油の付着を促進するとともに、しだいに付着が増しフィルター１０の孔を塞いで目詰まりを発生させ、排出風量の低下を招くこととなる。
【００２５】
そのため、フィルター１０の洗浄を行うが、まず、駆動手段９によりフィルター１０を回転させ、同時に給水ポンプ１７により貯水装置１６に貯めた水をくみ上げノズル１５に供給する。ノズル１５の噴射口１２より勢いよく噴射された水はフィルター１０表面に衝突しながら汚れを剥がし落とすとともに、フィルター１０の孔を通過する際に絡み合い蓄積された埃も合わせて除去し、あわせて回転による遠心力にてフィルター１０から飛散させて洗浄することとなる。
【００２６】
給水ポンプ１７で水が給水開始される当初は、給水ポンプ１７や給水パイプ１８ａ、１８ｂに含まれていた空気が気泡となり、気水混合状態でノズル１５に給水されるが、水は空気よりも重くてノズル１５の内部下部に溜り、気泡に含まれる空気がノズル１５内で水面から空気中に出て行き気水分離され、ノズル１５の閉端２４側に向って順次高くなっている噴射口２９から最初は気水分離された空気が放出されて、その後に水が噴射される。
【００２７】
従って、気泡を含んだ水は噴射口２９から放出されないので、水の噴出ムラによる水滴の飛散や噴出時の異音の発生が低減されるという効果を得ることができ、フィルター１０に給水手段１９から水が噴射されてフィルター１０に付着した汚れを落とし、その汚水は洗浄ケーシング１１の下端部の小孔２１を通って回収手段２２に回収されるので、定期的にフィルターを取り外すことなく、乾燥し固着したフィルターの油や埃などの汚れ、また、洗浄液に浮遊している汚れを手間なく除去できるという効果を有するレンジフードを提供できる。
【００２８】
（実施の形態２）
図５において、図４と同様の構成要素については同一の符号を付し、その詳細な説明は省略する。
【００２９】
図５は、ノズル１５を略水平に設けた状態で、噴射口構成面の長手方向に沿った２列は、上下方向２列として以下説明する。
【００３０】
図５に示すように、ノズル１５の噴射口構成面２８には、ノズル１５の閉端２４に向って噴射口３０ａ、３０ｂ、３０ｃ・・を構成する上段噴射口列３０と、ノズル１５の閉端２４に向って噴射口３１ａ、３１ｂ、３１ｃ・・を構成する下段噴射口列３１の２段で構成される複数の噴射口３２が開口している。
【００３１】
噴射口３０ａが構成する上段噴射口列３０はノズル１５の上部、すなわちノズル１５の上部側構成面３３の内壁３３ａに近接するように開口する。下段噴射口列３１のノズル１５の閉端２４側にある噴射口３１ｘと上段噴射口列３０の噴射口３０ａを結ぶ線３４は、下段噴射口列３１の噴射口３１ａと噴射口３１ｘを結ぶ線３５に対して傾きθを形成する。ノズル１５の噴射口構成面２８において、噴射口３１ａが開口している部分の板厚ｔ１、噴射口３１ｘが開口している部分の板厚ｔ２ともに同じとなるように成形する。
【００３２】
上記構成において、調理時に発生した油や室内の埃などの汚れは、排気装置５を運転することで整流板８の周囲の吸込口１からフード２内に吸い込まれ、通風路７内に設置したフィルター１０にて捕集・蓄積され、その後、排気装置５によって吐出口４よりダクト３を通じ排出される。その際、フィルター１０に付着した汚れ、特に埃は、フィルター１０の孔に入り込み複雑に絡み合うことで除去が非常に困難になって油の付着を促進するとともに、しだいに付着が増しフィルター１０の孔を塞いで目詰まりを発生させ、排出風量の低下を招くこととなる。
【００３３】
そのため、フィルター１０の洗浄を行うが、まず、駆動手段９によりフィルター１０を回転させ、同時に給水ポンプ１７により貯水装置１６に貯めた水をくみ上げノズル１５に供給する。ノズル１５の噴射口１２より勢いよく噴射された水はフィルター１０表面に衝突しながら汚れを剥がし落とすとともに、フィルター１０の孔を通過する際に絡み合い蓄積された埃も合わせて除去し、あわせて回転による遠心力にてフィルター１０から飛散させて洗浄することとなる。給水ポンプ１７で水が給水開始される当初は、給水ポンプ１７や給水パイプ１８ａ、１８ｂにふくまれていた空気が気泡となり、気水混合状態でノズル１５に給水されるが、水は空気よりも重くてノズル１５の内部下部に溜り、空気は上部側構成面３３の内壁３３ａに近接するように開口した上段噴射口列３０から放出されて気水が分離され、その後に水が噴射されるので、気泡を含んだ状態で発生する水の噴出ムラによる水滴の飛散やそのときの異音が解消されるという効果を得ることができ、フィルター１０に給水手段１９から水が噴射されてフィルター１０に付着した汚れを落とし、その汚水は洗浄ケーシング１１の下端部の小孔２１を通って回収手段２２に回収されるので、定期的にフィルターを取り外すことなく、乾燥し固着したフィルターの油や埃などの汚れ、また、洗浄液に浮遊している汚れを手間なく除去できるという効果を有するレンジフードを提供できる。
【００３４】
また、上段噴射口列３０と、下段噴射口列３１の２段で構成される複数の噴射口３２においては、下段噴射口列３１のノズル１５の閉端２４側にある噴射口３１ｘと上段噴射口列３０の噴射口３０ａを結ぶ線３４は、下段噴射口列３１の噴射口３１ａと噴射口３１ｘを結ぶ線３５に対して傾きθを形成する。この傾きθ相当の傾斜で閉端２４が高くなるようにノズル１５を前記固定具２０により前記洗浄ケーシング１１に固定する。こうすると、上下２段の噴射口列で構成しても、複数の噴射口３２は、下段噴射口列３１の噴射口３１ａが一番低いところに位置し、下段噴射口列３１が噴射口３１ｂ、３１ｃと閉端２４に向うにつれて徐々に位置が高くなり、噴射口３１ｘの高さは上段噴射口列３０の噴射口３０ａとほぼ同じ位置となり、上段噴射口列３０もまた噴射口３０ｂ、３０ｃと閉端２４に向うにつれて徐々に位置が高くなるので、気泡に含まれる空気がノズル１５の閉端２４側に向って順次高くなっている噴射口２９から順次放出されて気水が分離され、その後に水が噴射されるので、気泡を含んだ状態で発生する水の噴出ムラによる水滴の飛散やそのときの異音が解消されるという効果を得ることができる。
【００３５】
また、ノズル１５の噴射口構成面２８において、噴射口３１ａが開口している部分の板厚ｔ１、噴射口３１ｘが開口している部分の板厚ｔ２ともに同じとなるように成形すれば、複数の噴射口を同じ径で開口さえすれば噴射口での流体圧力損失は同じであり、複数の噴射口３２から同量の噴射量が得られるノズル１５を簡単に製作することができ、気泡を含んだ状態で発生する水の噴出ムラによる水滴の飛散やそのときの異音が解消されるという効果を得ることができる。
【００３６】
なお、ノズル１５の内筒を形成する金型の抜きテーパと噴射口構成面２８との位置関係を調整し、ｔ１＞ｔ２となるように成形することもできる。こうすれば、噴射口３１ｘが開口している部分の板厚ｔ２が薄いので、複数の噴射口を同じ径で開口さえすれば、噴射口での流体圧力損失は噴射口３０ａから噴射口３０ｘに向かい徐々に少なくなっていく。すなわち、噴射口３０ａから噴射口３０ｘに向かい水の流量が徐々に増える。円盤状のフィルター１０は外周に向うに従い洗浄面が増えるので、噴射口３０ａを円盤状のフィルター中心側１３に対向させ、噴射口３０ｘを円盤状のフィルター１０のフィルター円周端側１４に対向させて配置し、複数の噴射口３２で噴射水量を簡単に調整することができるという効果を得ることができ、気泡を含んだ状態で発生する水の噴出ムラによる水滴の飛散やそのときの異音が解消されるという効果を得ることができる。
【００３７】
なお、本実施例では、ノズル１５と、貯水装置１６と、給水ポンプ１７との位置関係を貯水装置１６、ノズル１５、給水ポンプ１７の順に位置が高くなる事例で説明したが、貯水装置１６、給水ポンプ１７、ノズル１５の順に位置が高くなるような配置し、それぞれを給水パイプ１８ａと給水パイプ１８ｂで接続して給水手段１９を形成した場合には、この複数の噴射口２９の位置が閉端２４側に向い２９ａ、２９ｂ、２９ｃ、・・と順次位置が高くなるようにしてあれば、給水ポンプ１７や給水パイプ１８ａ、１８ｂにふくまれていた空気がすみやかに噴射口２９から放出されるだけでなく、停止した場合には、噴射口２９から逆に空気が入り込み、ノズル１５や給水ポンプ１７や給水パイプ１８ａ、１８ｂの残水が貯水装置１６に還流することはいうまでもない。
【産業上の利用可能性】
【００３８】
噴射する水の勢いと遠心力にて汚れを取り除く構成により、汚れをフィルターで捕集しフィルターのメンテナンス・保守が困難な場所に設置する換気装置にも適用することができる。
【符号の説明】
【００３９】
１      吸込口
２      フード
３      ダクト
４      吐出口
５      排気装置
６      送風ケーシング
７      通風路
８      整流板
９      駆動手段
１０    フィルター
１１    洗浄ケーシング
１２    噴射口
１３    フィルター中心側
１４    フィルター円周端側
１５    ノズル
１６    貯水装置
１７    給水ポンプ
１８ａ  給水パイプ
１８ｂ  給水パイプ
１９    給水手段
２０    固定具
２１    小孔
２２    回収手段
２４    閉端
２５    開口部
２６    キャップ
２７    給水パイプ接続部
２８    噴射口構成面
２９    噴射口
３０    上段噴射口列
３０ａ、３０ｂ、３０ｃ、３０ｘ  噴射口
３１    下段噴射口列
３１ａ、３１ｂ、３１ｃ、３１ｘ  噴射口
３２    噴射口
【図１】
0005604985.tif 000002
【図２】
0005604985.tif 000003
【図３】
0005604985.tif 000004
【図４】
0005604985.tif 000005
【図５】
0005604985.tif 000006
【図６】
0005604985.tif 000007
【図７】
0005604985.tif 000008